(57)【要約】【課題】携帯型通信端末装置に関し、非常時等において通信用途以外の効能を発揮させることを目的とする。【解決手段】ケース１にカラビナ２を所定軌跡上を移動自在に連結して構成する。【選択図】  図１
2008187217.tif 000002
【特許請求の範囲】
【請求項１】
ケースにカラビナを所定軌跡上を移動自在に連結した携帯型通信端末装置。
【請求項２】
前記カラビナは、開閉杆に対向する長杆部においてケースに連結される請求項１記載の携帯型通信端末装置。
【請求項３】
前記カラビナは、ケース内に収容可能な請求項１または２記載の携帯型通信端末装置。
【発明の詳細な説明】
【技術分野】
【０００１】
本発明は、携帯型通信端末装置に関するものである。
【背景技術】
【０００２】
携帯電話を始めとする携帯型通信端末装置は、通信性能、携帯性、耐衝撃性等の向上に伴って登山、ハイキング等のアウトドアにおける活動時にも携帯されるに至っているが、専ら通信用途に限定されたもので、非常時等における通信機能以外での効用を備えたものは未だ提案されていない。
【発明の開示】
【発明が解決しようとする課題】
【０００３】
本発明は、カラビナを連結することにより、非常時等において通信用途以外の効能を発揮させることのできる携帯型通信端末装置の提供を目的とする。
【課題を解決するための手段】
【０００４】
携帯型通信端末装置は適宜の通信機能、および通信制御機能をケース１内に収容して構成される。ケース１に連結されるカラビナ２は、所定軌跡上を移動自在であり、使用姿勢と不使用姿勢との間を移行する。
【０００５】
カラビナ２は、例えばストラップを使用してケース１に連結することが可能であるが、この場合、カラビナ２はポケット等の中で不用意に動き回って端末装置のケース１に衝接し、傷をつけたり、あるいは他のものにからまる等して操作性が悪くなる。これに対し、連結状態においてカラビナ２の移動軌跡が規制される本発明において、ケース１とカラビナ２との一体性が確保されるために、絡み付き等が防止され、使い勝手が向上する。
【０００６】
したがってこの発明において、非常時等には、カラビナ２を使用して身体を支える等することができるために、利用範囲を高めることができる。
【発明の効果】
【０００７】
本発明によれば、非常時等において通信用途以外の効能を発揮させることのできる。
【発明を実施するための最良の形態】
【０００８】
図１に携帯電話として構成された本発明の実施の形態を示す。携帯電話は、可動側ケース１Ａと固定側ケース１Ｂとをヒンジ５周りに回転自在に連結して形成される。可動側ケース１Ａには、適数のキートップ（図示せず）が配置され、可動側ケース１Ａのキートップ対向面には図示しないディスプレイ面が形成される。
【０００９】
固定側ケース１Ｂは、下ケース６ａに上ケース６ｂを積層状に連結して形成され、固定側ケース１Ｂ内部に固定されたベース基板７にカラビナ２が固定される。
【００１０】
カラビナ２は、Ｃ字形状の本体部２ａと、一端部が本体部２ａの開放端に回転自在に連結される直杆状の開閉杆３とを備える。開閉杆３の他端を本体部２ａの開放端の連結すると、開閉杆３と本体部２ａとは協働して閉ループを構成し、この閉ループを利用してザイルの締結保持等ができる。
【００１１】
このカラビナ２をベース基板７に固定するために、カラビナ２には固定ピース８とストッパ９とが装着される。これら固定ピース８とストッパ９とは貫通孔１０が開設され、カラビナ２の本体部２ａ開放端を挿通させた後、曲率部２ｂを通過させて直杆状の長杆部４上の所定位置に保持される。
【００１２】
図２に示すように、カラビナ２のベース基板７への固定は、固定ピース８に形成された固定用舌片８ａをベース基板７の前端部（以下、本明細書において、カラビナ２が連結される側を「前方」とする。）にネジ止めして行われる。また、ストッパ９は止めネジ９ａを使用してカラビナ２の長杆部４に固定され、ベース基板７に形成されるストッパ装着部７ａに空転自在に嵌合される。以上のようにしてベース基板７に固定されるカラビナ２は、長杆部４周りに回転自在で、かつ、ストッパ９により長杆部４軸長方向への移動が規制される。
【００１３】
図３に本発明の他の実施の形態を示す。なお、以下の実施の形態において、上述した実施の形態と実質的に同一の構成要素は、図中に同一符号を付して説明を省略する。この実施の形態において、ベース基板７には回転軸部材１１が固定される。図３（ｂ）に示すように、回転軸部材１１は、固定部１１ａの一端に回転部１１ｂを回転自在に連結して形成され、固定部１１ａにおいてベース基板７に固定される。
【００１４】
回転軸部材１１は、回転部１１ｂが固定側ケース１Ｂの前端縁から突出させて固定され、カラビナ２は、回転部１１ｂ先端に開設された貫通孔１０に本体部２ａを挿通させて携帯電話に連結される。連結状態において、カラビナ２は、必要に応じて回転させることができ、さらに、貫通孔１０に長杆部４が挿通させた姿勢と、曲率部２ｂが挿通した姿勢との間を遷移させることができる。
【００１５】
なお、図３において、１２は固定部をベース基板７に固定するための板金製の固定金具、１１ｃは固定金具に係止させて抜け止めを行うために固定部１１ｂに設けられるストッパ突起を示す。
【００１６】
図４に本発明の第３の実施の形態を示す。この実施の形態は、カラビナ２を固定側ケース１Ｂに収容可能に構成した変形を示すもので、カラビナ２は、上述した実施の形態と同様に回転軸部材１１に連結され、固定側ケース１Ｂには、カラビナ収容部１３が形成される。
【００１７】
一方、ベース基板７上には、操作スライダ１４とカラビナ保持スライダ１５とが前後方向にスライド自在に保持され、これらスライダ１４、１５の摺動方向をガイドするために、ベース基板７にはガイド突条１６が突設される。図４（ｃ）に示すように、ガイド突条１６は階段状断面を有し、下段で操作スライダ１４を、上段でカラビナ保持スライダ１５をガイドする。
【００１８】
上記操作スライダ１４は、本体部１４ａの後端中央部から後方突出片１４ｂを突出させて平面視Ｔ字形状に形成され、中央部に操作ボタン１４ｃが突設される。操作ボタン１４ｃは下ケース６ａに開設された前後に長いボタン挿入長孔６ｃから下ケース６ａ外に突出する。また、後方突出片１４ｂの後端は上方に折り曲げられて係止突部１４ｄが形成される。
【００１９】
カラビナ保持スライダ１５は、操作スライダ１４上に摺動自在に積層され、中央部上面に回転軸部材１１が固定される。このカラビナ保持スライダ１５の前端にはストッパ切欠１５ａが形成され、ベース基板７側のストッパ７ｂに当接して下ケース６ａからの抜け止めがされる。
【００２０】
図４に示すように、カラビナ２が固定側ケース１Ｂから飛び出したカラビナ使用状態において、カラビナ保持スライダ１５はストッパ切欠１５ａがベース基板７のストッパ７ｂの後端壁に当接し、操作ボタン１４ｃはボタン挿入長孔６ｃの前端部に位置する。この状態から、カラビナ２を固定側ケース１Ｂ内方に押し込むと、カラビナ２に追随してカラビナ保持スライダ１５が後方に移動する。
【００２１】
図５（ａ）に示すように、カラビナ２のほぼ半分が固定側ケース１Ｂに収容された状態で、カラビナ保持スライダ１５の後端縁が操作スライダ１４の係止突部１４ｄに当接する。この状態からさらにカラビナ２を押し込むと、カラビナ保持スライダ１５とともに、操作スライダ１４が後方に移動し、図５（ｂ）に示す格納位置に移動する。この状態で、操作スライダ１４は図外のクリックストップ手段により節度停止し、カラビナ２の不用意な突出が防止される。また、格納姿勢において、操作ボタン１４ｃはボタン挿入長孔６ｃの後端部に移動し、ボタン挿入長孔６ｃの残余の部分は操作スライダ１４の本体部１４ａにより閉塞される。
【００２２】
この状態から再びカラビナ２を引き出すには、まず、操作ボタン１４ｃを前方に押し出す。操作ボタン１４ｃの操作により操作スライダ１４が前進駆動されて図５（ａ）の状態になり、これからカラビナ２を摘んで引き出すと、カラビナ２、およびカラビナ保持スライダ１５のみが前方に移動して図４（ａ）の使用姿勢に移動する。
【図面の簡単な説明】
【００２３】
【図１】携帯電話を示す図で、（ａ）は斜視図、（ｂ）は側面図である。
【図２】本発明の要部を示す図で、（ａ）はカラビナを連結した状態のベース基板を示す図、（ｂ）は固定側ケースに組み込んだ状態における（ａ）の２Ｂ-２Ｂ線断面図、（ｃ）は２Ｃ-２Ｃ線断面図である。
【図３】本発明の他の実施の形態を示す図で、（ａ）は正面図、（ｂ）はカラビナの連結部を示す（ａ）の３Ｂ-３Ｂ線断面図である。
【図４】本発明の第３の実施の形態を示す図で、（ａ）は上下ケースを取り外した状態の平面図、（ｂ）は（ａ）の４Ｂ-４Ｂ線断面図、（ｃ）は（ａ）の４Ｃ-４Ｃ線断面図である。
【図５】図４の動作を示す図で、（ａ）はカラビナの引き出し、収納途中を示す図、（ｃ）は収納状態を示す図である。
【符号の説明】
【００２４】
１        ケース
２        カラビナ
３        開閉杆
４        長杆部
【図１】
2008187217.tif 000003
【図２】
2008187217.tif 000004
【図３】
2008187217.tif 000005
【図４】
2008187217.tif 000006
【図５】
2008187217.tif 000007